(57)【要約】【課題】紙層内にＩＣタグ（インレット）を確実に抄き込むことができるＩＣタグ抄き込み紙を提供する。【解決手段】ＩＣチップとアンテナとを有する平板状のＩＣタグを紙層内に抄き込んでなるＩＣタグ抄き込み紙であって、ＩＣタグは、アンテナ及びＩＣチップを避けた位置に表裏を貫通する開口部及び／又はスリットを１個以上有する。【選択図】図１
2007049669.tif 000002
【特許請求の範囲】
【請求項１】
ＩＣチップとアンテナとを有する平板状のＩＣタグを紙層内に抄き込んでなるＩＣタグ抄き込み紙であって、前記ＩＣタグは、前記アンテナ及びＩＣチップを避けた位置に表裏を貫通する開口部及び／又はスリットを１個以上有することを特徴とするＩＣタグ抄き込み紙。
【請求項２】
前記ＩＣタグの平面側から見たとき、（前記開口部の総面積）／（前記ＩＣタグの面積）で表される比が０．００１以上０．７未満であることを特徴とする請求項１に記載されたＩＣタグ抄き込み紙。
【請求項３】
前記スリットは前記紙層のＭＤ方向に延びていることを特徴とする請求項１に記載されたＩＣタグ抄き込み紙。
【請求項４】
前記紙層は円網抄紙機と長網抄紙機とを用いてそれぞれ抄き取った湿紙を合わせてなり、かつ各湿紙の表面同士が対向した状態で一方の湿紙の上に前記ＩＣタグが載置された後、前記各湿紙が合わせられることを特徴とする請求項１〜３のいずれかに記載されたＩＣタグ抄き込み紙。
【請求項５】
前記紙層は２つの円網抄紙機を用いてそれぞれ抄き取った湿紙を合わせてなり、かつ各湿紙の表面同士が対向した状態で一方の湿紙の上に前記ＩＣタグが載置された後、前記各湿紙が合わせられることを特徴とする請求項１〜３のいずれかに記載されたＩＣタグ抄き込み紙。
【発明の詳細な説明】
【技術分野】
【０００１】
本発明は、非接触方式のＩＣタグを紙中に抄き込んだＩＣタグ抄き込み紙に関する。
【背景技術】
【０００２】
ＩＣタグはＩＣチップおよびアンテナを有し、通常、電池を内蔵することなくリーダーまたはライターから発生する電波や磁界によって作動し、大量の情報の読み取りや書き込みを行うことができるものとして普及し始めている。ＩＣチップのメモリー容量は最大で数十キロバイトであり二次元バーコードより多く、また、チップが段ボールなどの箱の中に入っていたり、チップから数メートル離れていても、データの読取りや書込みを行うことができる。
ＩＣタグを活用することにより、部品メーカー、製造、卸、小売の各段階でばらばらのバーコードで管理されていた情報を全体で最適化するシステムが構築されるため、更なる流通の効率化がもたされると言われている。その他、医療、食品、教育、図書館での貸し借り・蔵書管理、オフィスでの入退出管理、出版などの分野でもＩＣタグを使った新しいサービスが生まれる手段となりつつある。【０００３】
ＩＣタグは、通常、プラスチックフィルムなどの基材上に少なくともＩＣチップおよびアンテナを配置してなる薄いインレットを、台紙に取付けるか、又は樹脂コーティングしたり紙の間に挟み込んで構成されている。【０００４】
このようなＩＣタグとして、インレットをタック紙の粘着面に保持し、インレットの開口部から粘着面を表出させて対象物品にＩＣタグを貼着する技術が開示されている（例えば特許文献１参照）。この技術によれば、インレットの表裏にそれぞれ台紙との接着層と対象物との接着層とを別個に設けた場合に比べ、接触層が１層で済むという利点がある。
又、インレットを構成するフィルムを水溶性とし、このインレットを２枚のフィルム又は湿紙でラミネートして内包する技術が提案されている（例えば特許文献２参照）。【０００５】
一方、スレッドと称される細片の長手方向に沿ってアンテナ付のＩＣチップを多数担持させ、このスレッドを２つの紙層の間に抄き合わせる技術が提案されている（例えば特許文献３、４参照）。
さらに、スレッドの代わりに個々のインレットを２つの紙層の間に抄き合わせる技術が提案されている（例えば特許文献５〜７参照）。【０００６】
【特許文献１】特開2002-342728号公報
【特許文献２】特開2001-134734号公報
【特許文献３】特開2004-139405号公報
【特許文献４】特開2005-171396号公報
【特許文献５】特開2002-298118号公報
【特許文献６】特開2004-102353号公報
【特許文献７】特開2005-350823号公報
【発明の開示】
【発明が解決しようとする課題】
【０００７】
しかしながら、特許文献１、２記載の技術の場合、接着層を有するタック紙を用いたり、インレットを構成するフィルムとして水溶性フィルムを用いる必要があるため、コストが高くなると共に生産効率が悪くなる。
又、特許文献３，４記載の技術の場合、紙層内に抄き込むスレッドが連続したロール状であるため、抄き込み紙の製品サイズは、スレッドに担持されたＩＣチップやアンテナの大きさや、これらをスレッドに配置する間隔によって決まるという不都合がある。従って、抄き込み紙の製品サイズを変更するには、スレッド中のアンテナの大きさや設置間隔を変更する必要があり、作業効率が非常に悪く実用的ではない。【０００８】
さらに、特許文献３〜７記載の技術は、いずれも紙層内にスレッドやインレットを抄き込むものであるが、スレッドやインレットの基材に用いるプラスチックフィルムは厚さ方向に水を通さないため、これらを抄き込んだ湿紙をニップロールで圧力をかけて脱水する際、フイルム部分で厚さ方向への脱水が阻害される。そのため、フィルム上に一旦形成された湿紙層が脱水時に破壊され、乾燥後の紙層が薄くなったり紙層が形成されずにフィルムが表出する問題がある。
従って、本発明は、紙層内にＩＣタグ（インレット）を確実に抄き込むことができるＩＣタグ抄き込み紙を提供することを目的とする。
【課題を解決するための手段】
【０００９】
発明者らは鋭意検討した結果、ＩＣタグのうちアンテナ及びＩＣチップを避けた位置に表裏を貫通する開口部及び／又はスリットを設けると、ＩＣタグの厚さ方向に水を通しやすくなり、抄き込み後の脱水時に紙層が破壊されないことを見出した。
従って、本発明のＩＣタグ抄き込み紙は、ＩＣチップとアンテナとを有する平板状のＩＣタグを紙層内に抄き込んでなり、前記ＩＣタグは、前記アンテナ及びＩＣチップを避けた位置に表裏を貫通する開口部及び／又はスリットを１個以上有することを特徴とする。【００１０】
前記ＩＣタグの平面側から見たとき、（前記開口部の総面積）／（前記ＩＣタグの面積）で表される比が０．００１以上０．７未満であることが好ましい。
前記スリットは前記紙層のＭＤ方向に延びていることが好ましい。
前記紙層は円網抄紙機と長網抄紙機とを用いてそれぞれ抄き取った湿紙を合わせてなり、かつ各湿紙の表面同士が対向した状態で一方の湿紙の上に前記ＩＣタグが載置された後、前記各湿紙が合わせられることが好ましい。
前記紙層は２つの円網抄紙機を用いてそれぞれ抄き取った湿紙を合わせてなり、かつ各湿紙の表面同士が対向した状態で一方の湿紙の上に前記ＩＣタグが載置された後、前記各湿紙が合わせられることが好ましい。
【発明の効果】
【００１１】
本発明によれば、抄き合わせのプレス時に紙層（湿紙）が破壊されることがなく、ＩＣタグを紙層内に確実に抄き込むことができ、生産性も高い。
【発明を実施するための最良の形態】
【００１２】
本発明は、紙層内に抄き込むＩＣタグのうちアンテナ及びＩＣチップを避けた位置に、表裏を貫通する開口部及び／又はスリットを設けることにより、抄き込み後の脱水時に紙層が破壊されず、ＩＣタグを紙層内に確実に抄き込むものである。【００１３】
<ＩＣタグ>
ＩＣタグは、ＩＣチップとアンテナとを有し平板状をなす。本発明におけるＩＣタグは、プラスチックフィルムなどの基材上に少なくともＩＣチップおよびアンテナを配置してなる薄いインレットをいうが、このインレットを台紙に取付けるか又は樹脂コーティング等したものも含む。
ＩＣタグのＩＣチップとアンテナとは接続され、リーダーやライター等の通信機器と無線交信することにより、ＩＣチップに記憶された商品情報などの読み取りや、ＩＣチップへの書き込みができる。通常、ＩＣチップに記録できる最大容量は数十キロバイトであり、記録容量はバーコードの約１００倍になる。アンテナとしては、導線をコイル状に巻いて無線交信できるようにした電磁誘導方式によるものや、ポール状のアンテナをＩＣチップに接続する方式のものを使用することができる。【００１４】
ＩＣタグは例えば以下のようにして製造することができる。まず、ロール状のフィルム基材にアルミ箔を貼着した後、アンテナパターンをエッチング処理で作成する。アンテナを作成する別の方法として、フィルム上にアンテナパターンとなる導電性ペーストを印刷することもできる。アンテナパターンを作成したのち、フィルム上にＩＣチップを接着剤などで接着してインレットを得ることができる。これら一連の工程はロール状のフィルム上で行われた後、個々のインレット片に断裁する。個片に断裁する前又は後に、ＩＣチップとアンテナを避けたフィルム部分に打ち抜き機等で後述する開口部及び／又はスリットを設ける。【００１５】
上記フィルム基材としては主にプラスチックフィルムが使用され、例えば、ポリエチレンテレフタレート、アクリロニトリル−ブタジエン−スチレン樹脂、エポキシ樹脂、フェノール樹脂などを使用することができる。これらの樹脂はいずれも基材に絶縁性や耐熱性を持たせると同時に、耐水性のないＩＣチップを保護するため、耐水性に優れたものを使用することができる。
フィルム基材の厚さは特に限定されるものではではないが、商品の外観などを考慮して１０μｍ〜２００μｍであることが好ましく、さらに好ましくは３０μｍ〜８０μｍである。【００１６】
<ＩＣタグの開口部及び／又はスリット>
ＩＣタグのうちアンテナ及びＩＣチップを避けた位置に、表裏を貫通する開口部及び／又はスリットを設ける。これにより、ＩＣタグの厚さ方向に水を通しやすくなり、抄き込み後の脱水時に紙層が破壊されず、ＩＣタグを紙層内に確実に抄き込むことができる。
なお、開口部及びスリットは水を通過させる作用があればよく、抄き込みによって紙層が開口部やスリット内に入り込まなくてもよい。
又、本発明においてＩＣタグの大きさや形状は限定されないが、ＩＣタグが小さいと、抄き込み後に比較的水が通過し易く、脱水時の紙層の破壊が大きな問題とならないため、ＩＣタグの大きさが約１５×１５ｍｍ以上の場合に本発明が特に有効である。【００１７】
図１は、表裏を貫通する開口部を設けたＩＣタグの一例を示す平面図である。この図において、矩形状のフィルム基材２ａ上の周縁部を囲むようにアンテナ２ｂが形成され、ＩＣチップ２ｃがアンテナ２ｂと接続するようにしてフィルム基材２ａ上に配置され、全体としてＩＣタグ（インレット）２を構成している。開口部４ａは、フィルム基材２ａにおけるアンテナ２ｂの内側部分に多数（この図では３０個）設けられ、この部分はアンテナ及びＩＣチップを避けた（干渉しない）位置になっている。
又、図２は、１個の開口部を設けたＩＣタグの一例を示す平面図である。この図において、フィルム基材２ａにおけるアンテナ２ｂの内側部分に、大きな開口部４ｂが１個設けられている。【００１８】
ＩＣタグの厚さ方向に水を通しやすくするものであれば、開口部の大きさ、形状、個数等は特に制限されないが、ＩＣタグの平面側から見たとき、（開口部の総面積）／（ＩＣタグの面積）で表される面積比が０．００１以上０．７未満であることが好ましい。上記比が０．７以上であると、開口部の面積が大きくなり過ぎてＩＣタグ（インレット）のフィルム基材の腰が弱くなり、ＩＣタグを取り扱う際にカールが発生し易くなるため作業性が悪くなる傾向にある。特に、上記比が０．３以下であると、フィルム基材の腰が弱くならず抄き込み時の作業性が良くなるので、さらに好ましい。一方、上記比が０．００１未満であると、開口部が少なくなるので、ＩＣタグの厚さ方向の水の透過性が低くなり、抄き込み後の脱水時に紙層が破壊され易くなる傾向にある。【００１９】
開口部の形状は円形、長方形、正方形、楕円形、不定形など如何なる形状であってもよい。開口部が円形である場合、直径が０．５ｍｍ以上であることが好ましい。直径が０．５ｍｍ未満の場合、ＩＣタグの厚さ方向の水の透過性が低くなる傾向にある。又、フィルム基材に開口する際、基材にバリが生じると、ＩＣタグ抄き込み紙の印刷適性の悪化を招く恐れがあるため、開口部の直径が２ｍｍ以上であることがさらに好ましい。
開口部が楕円や四角形、不定形など円形以外である場合、これらが上記した直径の円内に入る大きさであることが好ましい。【００２０】
図３は、表裏を貫通するスリットを設けたＩＣタグの一例を示す平面図である。この図において、フィルム基材２ａにおけるアンテナ２ｂの内側部分に、フィルム基材２ａの長辺方向に平行に複数のスリット４ｃが設けられている。この例では、スリットの長さは５０ｍｍ、隣接するスリットの間隔は３．５ｍｍである。又、ＩＣタグを抄き合わせる際、紙層のＭＤ方向をフィルム基材２ａの長辺方向とすると、このＭＤ方向に平行にスリット４ｃが延びている。【００２１】
ＩＣタグの厚さ方向に水を通しやすくするものであれば、スリットの長さ、横幅、個数、スリットの間隔等は特に制限されない。但し、水を通過し易くするためには、上記したようにスリットが紙層のＭＤ方向に延びていることが好ましい。これは、湿紙をプレスした際にＣＤ方向に水が広がり易い傾向にあるため、スリットをＭＤ方向に入れたほうが紙層が砕けにくいためと考えられる。
スリットの個数は１本以上であればよいが、水を通過させるためには個数が多いほうが好ましい。但し、スリットの個数が多過ぎると、フィルム基材の腰が弱くなり取り扱いが難しくなる傾向にあるので、スリットの個数は５本／ｃｍ（紙層のＣＤ方向の長さ当り）以下であることが作業性を確保する点で好ましく、より好ましくは３本／ｃｍである。スリットの長さは、ＩＣタグの大きさに応じて設定すればよく特に制限されないが、好ましくは１ｍｍ以上であり、さらに好ましくは５ｍｍ以上である。スリットの長さが短すぎると水が通過しにくくなる傾向にある。また、スリットの長さはアンテナとＩＣチップとに干渉しない限り長い方が好ましいが、作業性を考慮すると１０ｃｍ以下であることが好ましく、より好ましくは５ｃｍ以下である。【００２２】
<ＩＣタグの抄き込み>
ＩＣタグを紙層内に抄き込む方法としては特に制限されず、例えば一般の多層抄紙機を用い、複数の湿紙の間にＩＣタグを挟んで合わせることができる。
特に、２つの抄紙機を用いてそれぞれ抄き取った湿紙の表面同士を対向させ、この状態で一方の湿紙の上にＩＣタグを載置した後、各湿紙を合わせて乾燥する方法が好ましい。各湿紙として同じ紙料を用いる場合、各湿紙が合わせられると一体化して１つの紙層になる。又、各湿紙として異なる紙料を用いる場合、各湿紙が合わせられると２層の紙層となり、ＩＣタグは各紙層の間に抄き込まれるが、この場合も「ＩＣタグを紙層内に抄き込む」ことに含むものとする。
なお、３層以上の湿紙を合わせることにより、３層以上の紙層を形成させてもよいが、この場合、いずれかの紙層内か、又は隣接する２つの紙層の間にＩＣタグが抄き込まれる点は上記と同様である。【００２３】
図４は、ＩＣタグ抄き込み紙の平面に垂直な方向の断面を示す。ＩＣタグ２は紙層１０内に抄き込まれている。紙層１０は、それぞれ同一の紙料からなる湿紙１０ａ、１０ｂを合わせているため、乾燥後は全体として単一の紙層からなるように見える。
図５は、別のＩＣタグ抄き込み紙の平面に垂直な方向の断面を示す。ＩＣタグ２は紙層１１、１２の間に抄き込まれている。紙層１１、１２は、それぞれ異なる紙料からなる湿紙を合わせているため、異なる２つの紙層が積層されているように見える。又、この例では、紙層１２の外側に別の紙層１３が積層され、全体として３層の抄き込み紙になっている。【００２４】
紙層（湿紙）に用いるパルプの材質は特に限定されることなく、LBKP、NBKP、機械パルプ、古紙などが使用することができる。また、叩解条件も限定されることなく、濾水度は２００〜５５０mlのものであれば使用することができる。
紙層を形成するために積層される２つ（以上）の湿紙に用いるパルプは同じ材質、濾水度であっても良いし、異なっていても良い。３層以上の湿紙の抄きあわせ紙の場合も同様である。
さらに、本発明においては必要に応じて紙層（湿紙）の中に填料、サイズ剤を添加することができる。填料の種類は特に限定されないが、例えば炭酸カルシウム、タルク、酸化チタン、カオリン、クレーなどを使用することができる。サイズ剤についても同様に特に限定されることはなく、例えばロジン系、変性ロジン系、アルキルケテンダイマー、スチレン系、スチレンーアクリル系、アルケニルコハク酸系、オレフィン系などがあげられる。また、添加剤として紙料中に蛍光染料、着色剤、PH調製剤、硫酸バンド、歩留まり向上剤などを適宜使用することができる【００２５】
湿紙の表面にＩＣタグを載置し、その上に別の湿紙を重ね合わせた後、これらをニップロールで脱水したのち、シリンダードライヤーやヤンキードライヤーなど通常の乾燥方法により１００〜１５０℃の熱をかけることで乾燥され、紙層を形成することができる。
また、得られた紙層に対し、通常のサイズプレスを行うこともできる。サイズプレスに使われる薬品の種類は特に限定されるものではないが、一例として澱粉、酸化澱粉、カチオン化澱粉、燐酸化エステル澱粉、ポリビニルアルコール、カルボキシメチルセルロースなどをあげることができる。【００２６】
上記のようにして作成したＩＣタグ抄き込み紙の表面に粘着層を塗設することで、ラベルとして使用することができる。また、表面に塗工層を設けることで、オフセット印刷適性、熱転写記録適性、インクジェット記録適性、感熱記録適性等の各種記録適性を付与することができる。【００２７】
<一般の多層抄紙機を用いたＩＣタグの抄き込み>
次に、一般の多層抄紙機を用いたＩＣタグの抄き込み例について述べる。多層抄紙機としては、図６に示すように２つの円網（ワイヤー）シリンダー３０Ａ，３０Ｂを並列に有し、各シリンダー上をフェルト帯７０が移動するものを用いる。そして、紙料を貯留する槽４０Ａから水中に分散されたパルプ繊維をシリンダー３０Ａで抄き取り、フェルト７０下面に第１の湿紙１０ａを形成させ、第１の湿紙１０ａの下面にＩＣタグ２を載置した後、槽４０Ｂを有するシリンダー３０Ｂにより、第１の湿紙及びＩＣタグの下面に第２の湿紙１０ｂを抄き合わせ、脱水、乾燥する。この方法は、例えば特開2002−298118号公報の図１に例示されている。
但し、この方法は、湿紙の下面にＩＣタグを載置するため、抄き合わせ時にＩＣタグが落下することがある。又、ＩＣタグが落下しないように湿紙に押し付けると湿紙層が破壊され、ＩＣタグを内包した部分の抄き込み紙表面が平滑にならないことがある。
そこで、以下の抄紙機を用いることが好ましい。【００２８】
<各湿紙の表面を対向させた抄紙機を用いたＩＣタグの抄き込み>
一般の多層抄紙機における上記問題を解決するため、湿紙の上面にＩＣタグを載置した後、その上から別の湿紙を合わせることが必要である。そこで、図７に示すように円網３０と長網５０を組合せ、長網５０の上面に抄き取られた第１の湿紙１０ａの上にＩＣタグ２を載置した後、槽４０を有する円網３０で抄き取った第２の湿紙の下面を第１の湿紙１０ａの表面に抄き合わせるよう設計された多層抄紙機を用いることが好ましい。
ＩＣタグ２は、所定の挿入機を用いて１個ずつ湿紙上に載置することができる。
又、長網５０が傾斜した抄紙機を用いることもできる。【００２９】
又、図８に示すように２つの円網シリンダー３０Ａ，３０Ｂを組合せ、一方の円網３０Ａで抄き取られた第１の湿紙１０ａをターンさせて湿紙１０ａ表面が上になるようにし、その上にＩＣタグ２を載置した後、円網３０Ｂで抄き取られた第２の湿紙１０ｂの下面を湿紙１０ａ上面に抄き合わせるよう設計された多層抄紙機を用いることもできる。
なお、符号６０はサクションである。又、図６，７のＭＤはフェルト７０の走行方向であり、紙層のＭＤ方向となる。【００３０】
更に図示しないが、図７の円網を長網に代えた抄紙機を用いてもよい。これらの抄紙機により、ＩＣタグを落下させずに紙層内に抄き込むことができる。また、これらの抄紙機において、さらにワイヤーパートを増やし、３層以上の湿紙を積層した多層抄き合わせ紙を抄造することも可能である。【００３１】
<実施例>
以下、実施例により本発明を更に詳述するが、本発明はこれらによって限定されるものではない。また、実施例において示す「部」及び「％」は、特に明示しない限り重量部及び重量％を示す。
【実施例１】
【００３２】
（ＩＣタグの作成）
ＩＣタグ（インレット）として、ロール状で厚さ３９μｍのポリエステルフィルム上にアルミ箔を貼り合わせ、エッチング処理することによりフィルム上にアンテナを形成させた。フィルム上にＩＣチップを設置してアンテナと接続した。その後、個々のＩＣタグのサイズが５５×９６mmになるようにロール状フィルムを断裁した後、フィルムに直径０．５ｍｍの円形の穴（開口部）を２７個開けた。穴の位置はＩＣチップおよびアンテナに干渉しない位置とし、かつランダムな位置に開けた。【００３３】
（ＩＣタグ抄き込み紙の製造）
抄紙用の紙料は、濾水度４００mlのＬＢＫＰ１００部に対し、軽質炭酸カルシウム２０部、アルキルケテンダイマー０．０１５部、カチオン化デンプン０．５部、および湿潤紙力増強剤としてポリアミド・エピクロヒドリン２部を添加し、さらに１％濃度（紙料濃度）となるように水を添加して調製した。
図７に示した抄紙機を使用し、抄紙速度を５０ｍ/ｍｉｎとし、坪量が１００ｇ/ｍ２になるように上記紙料を長網のワイヤー上に抄き取って第１の湿紙を形成した後、第１の湿紙の上に１個のＩＣタグを手で載せ、丸網ワイヤーで抄き取った１００ｇ/ｍ２の第２の湿紙をＩＣタグの上へウェットの状態で重ね合わせた。重ね合わせた湿紙を線圧４．９ＭＰａ・cm(５０kg/cm)でウエットプレスを通して脱水したのち、１１０℃で乾燥を行って紙層を形成し、ＩＣタグを内包した抄き込み紙を得た。
なお、ＩＣタグの長辺方向を抄紙方向（紙層のＭＤ方向）とした。
【実施例２】
【００３４】
個々のＩＣタグのサイズが１２×３２mmとなるようにフィルム上にアンテナを作成しＩＣチップを配置し、さらにフィルム上へ直径０．５mmの穴（開口部）を２個開けたことの他は実施例１と同様にしてＩＣタグの作成とＩＣタグ抄き込み紙の製造を行った。
【実施例３】
【００３５】
個々のＩＣタグのフィルム上へ直径６mmの穴（開口部）を２７個開けたことの他は実施例１と同様にしてＩＣタグの作成とＩＣタグ抄き込み紙の製造を行った。
【実施例４】
【００３６】
個々のＩＣタグのフィルム上へ、ＩＣチップおよびアンテナに干渉しない位置に３５×７６mmの矩形状の開口部を１個開けたことの他は実施例１と同様にしてＩＣタグの作成とＩＣタグ抄き込み紙の製造を行った。
【実施例５】
【００３７】
抄紙機として図８に示したものを用いたことの他は実施例１と同様にしてＩＣタグの作成とＩＣタグ抄き込み紙の製造を行った。
【実施例６】
【００３８】
個々のＩＣタグのフィルム上へ、ＩＣチップおよびアンテナに干渉しない位置に長さ５ｃｍのスリットを９本平行に開けた。ことの他は実施例１と同様にしてＩＣタグの作成とＩＣタグ抄き込み紙の製造を行った。
スリットの幅は０．１ｍｍとし、隣接するスリットの間隔は３．５ｍｍとした。
【実施例７】
【００３９】
個々のＩＣタグのフィルム上へ開ける穴（開口部）の個数を２６個としたことの他は実施例１と同様にしてＩＣタグの作成とＩＣタグ抄き込み紙の製造を行った。
【実施例８】
【００４０】
個々のＩＣタグのフィルム上へ開ける穴（開口部）の直径を０．４ｍｍとしたことの他は実施例１と同様にしてＩＣタグの作成とＩＣタグ抄き込み紙の製造を行った。【００４１】
<比較例１>
ＩＣタグのフィルム上に穴（開口部）を開けなかったことの他は実施例１と同様にしてＩＣタグの作成とＩＣタグ抄き込み紙の製造を行った。【００４２】
<比較例２>
抄紙機として図６に示したものを用いたことの他は比較例１と同様にしてＩＣタグの作成とＩＣタグ抄き込み紙の製造を行った。【００４３】
<評価>
<内包性>
ＩＣタグ抄き込み紙の外観を目視し、ＩＣタグの紙層への抄き込み状態（内包性）を以下の基準で評価した。
〇：紙層に亀裂が見られず、直接目視できない程度にＩＣタグが紙層に内包されている
△：ＩＣタグを抄き込んだ部分の紙層に亀裂が見られるか、その亀裂が大きく、内部のＩＣタグが露出している
×：ＩＣタグを抄き込むことができない【００４４】
<作業性>
ＩＣタグを湿紙に置く際の作業のし易さ、及びＩＣタグが紙層に抄き込むことができるかどうかを評価した。タグの腰が弱いと、タグが撓んだり折れたりするので湿紙に置き難く作業性が低下する。
〇：問題なくＩＣタグを湿紙上に置くことができ、かつ紙層に抄き込むことができる
△：タグを紙層に抄き込むことができるが、タグの腰が弱いため、湿紙上に置き難い
×：タグが折れて抄きこまれたか、又は抄き込むことができない【００４５】
得られた結果を表１に示す。
【表１】
2007049669.tif 000003
【００４６】
表１から明らかなように、各実施例の場合、ＩＣタグの内包性、作業性に共に優れていた。（開口部の総面積）／（ＩＣタグの面積）で表されるＩＣタグの面積比が０．３を超えた実施例４の場合、ＩＣタグのフィルム基材の腰が若干弱くなり、ＩＣタグを取り扱う際の作業性が他の実施例より低下したが、実用上問題はなかった。【００４７】
一方、ＩＣタグのフィルムに開口部を設けなかった比較例１，２の場合、内包性が低下した。又、従来の抄紙機を用いた比較例２の場合、作業性も低下した。
【図面の簡単な説明】
【００４８】
【図１】表裏を貫通する開口部を設けたＩＣタグの一例を示す平面図である。
【図２】表裏を貫通する開口部を設けたＩＣタグの別の一例を示す平面図である。
【図３】表裏を貫通するスリットを設けたＩＣタグの一例を示す平面図である。
【図４】ＩＣタグ抄き込み紙の平面に垂直な方向の断面を示す図である。
【図５】ＩＣタグ抄き込み紙の平面に垂直な方向の断面を示す別の図である。
【図６】一般の２槽式円網抄紙機における抄き合わせを示す図である。
【図７】各湿紙の表面を対向させた抄紙機を用いた抄き合わせを示す図である。
【図８】各湿紙の表面を対向させた抄紙機を用いた抄き合わせを示す別の図である。
【符号の説明】
【００４９】
２ａ                フィルム基材
２ｂ                アンテナ
２ｃ                ＩＣチップ
２                  ＩＣタグ（インレット）
４ａ、４ｂ          開口部
４ｃ                スリット
１０ａ、１０ｂ      湿紙
１０〜１３          紙層
３０、３０Ａ，３０Ｂ    円網シリンダー（円網抄紙機）
５０                    長網（抄紙機）
【図１】
2007049669.tif 000004
【図２】
2007049669.tif 000005
【図３】
2007049669.tif 000006
【図４】
2007049669.tif 000007
【図５】
2007049669.tif 000008
【図６】
2007049669.tif 000009
【図７】
2007049669.tif 000010
【図８】
2007049669.tif 000011
【国際調査報告】
2007049669.tif 000012
2007049669.tif 000013
2007049669.tif 000014